【手続補正書】
【提出日】平成27年10月30日(2015.10.30)
【手続補正１】
【補正対象書類名】明細書
【補正対象項目名】発明の名称
【補正方法】変更
【補正の内容】
【発明の名称】起動制御プログラム、情報処理装置、情報処理システム、及び、情報処理方法
【手続補正２】
【補正対象書類名】明細書
【補正対象項目名】０００１
【補正方法】変更
【補正の内容】
【０００１】
本発明は、２つ以上の第１所定数のソフトウェアの中から、１つのソフトウェアを選択して起動する起動制御プログラム、情報処理装置、情報処理システム、及び情報処理方法に関する。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明は、所望するソフトウェアを容易に選択して起動することが可能な起動制御プログラム、情報処理装置、情報処理システム、及び情報処理方法を提供することを目的としている。
【手続補正５】
【補正対象書類名】明細書
【補正対象項目名】０００７
【補正方法】変更
【補正の内容】
【０００７】
上記目的を達成するために、例えば以下の構成を採用し得る。
【手続補正６】
【補正対象書類名】明細書
【補正対象項目名】０００８
【補正方法】変更
【補正の内容】
【０００８】
第１の構成例は、順序が設定された２つ以上の第１所定数のソフトウェアの中から、１つのソフトウェアを選択して起動する所定の情報処理装置で実行される起動制御プログラムであって、当該情報処理装置のコンピュータを、前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、外部からの操作入力を受け付けて、受け付けられた操作入力に基づいて、前記第１表示領域に表示される第１オブジェクトを変更する表示変更手段、及び、外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段として機能させ、前記第１表示制御手段は、前記対象ソフトウェアに対応する前記第１オブジェクトを第１の表示態様で表示し、前記対象ソフトウェアに対応しない前記第１オブジェクトを第２の表示態様で表示する、起動制御プログラムである。
【手続補正７】
【補正対象書類名】明細書
【補正対象項目名】０００９
【補正方法】変更
【補正の内容】
【０００９】
また、前記第１表示制御手段は、前記第１の表示態様で表示された前記第１オブジェクトが選択されたことに応じて、当該第１オブジェクトの表示態様を前記第２の表示態様に変更してもよい。
【手続補正８】
【補正対象書類名】明細書
【補正対象項目名】００１０
【補正方法】変更
【補正の内容】
【００１０】
第２の構成例は、順序が設定された２つ以上の第１所定数のソフトウェアの中から、１つのソフトウェアを選択して起動する情報処理装置であって、前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、外部からの操作入力を受け付けて、受け付けられた操作入力に基づいて、前記第１表示領域に表示される第１オブジェクトを変更する表示変更手段、及び、外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段を備え、前記第１表示制御手段は、前記対象ソフトウェアに対応する前記第１オブジェクトを第１の表示態様で表示し、前記対象ソフトウェアに対応しない前記第１オブジェクトを第２の表示態様で表示する、情報処理装置である。
【手続補正９】
【補正対象書類名】明細書
【補正対象項目名】００１１
【補正方法】変更
【補正の内容】
【００１１】
第３の構成例は、順序が設定された２つ以上の第１所定数のソフトウェアの中から、１つのソフトウェアを選択して起動する情報処理システムであって、前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、外部からの操作入力を受け付けて、受け付けられた操作入力に基づいて、前記第１表示領域に表示される第１オブジェクトを変更する表示変更手段、及び、外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段を備え、前記第１表示制御手段は、前記対象ソフトウェアに対応する前記第１オブジェクトを第１の表示態様で表示し、前記対象ソフトウェアに対応しない前記第１オブジェクトを第２の表示態様で表示する、情報処理システムである。
【手続補正１０】
【補正対象書類名】明細書
【補正対象項目名】００１２
【補正方法】変更
【補正の内容】
【００１２】
第４の構成例は、順序が設定された２つ以上の第１所定数のソフトウェアの中から、１つのソフトウェアを選択して起動する所定の情報処理装置で実行される情報処理方法であって、前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御ステップ、モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御ステップ、外部からの操作入力を受け付けて、受け付けられた操作入力に基づいて、前記第１表示領域に表示される第１オブジェクトを変更する表示変更ステップ、及び、外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行ステップを含み、前記第１表示制御ステップでは、前記対象ソフトウェアに対応する前記第１オブジェクトを第１の表示態様で表示し、前記対象ソフトウェアに対応しない前記第１オブジェクトを第２の表示態様で表示する、情報処理方法である。
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】００５９
【補正方法】削除
【補正の内容】
【手続補正５８】
【補正対象書類名】明細書
【補正対象項目名】００６０
【補正方法】削除
【補正の内容】
【手続補正５９】
【補正対象書類名】明細書
【補正対象項目名】００６１
【補正方法】削除
【補正の内容】
【手続補正６０】
【補正対象書類名】明細書
【補正対象項目名】００６２
【補正方法】変更
【補正の内容】
【００６２】
本発明によれば、所望するソフトウェア（ここでは、対象ソフトウェア）を容易に選択して起動することができる。
【手続補正６１】
【補正対象書類名】明細書
【補正対象項目名】００６３
【補正方法】削除
【補正の内容】
【手続補正６２】
【補正対象書類名】特許請求の範囲
【補正対象項目名】全文
【補正方法】変更
【補正の内容】
【特許請求の範囲】
【請求項１】
順序が設定された２つ以上の第１所定数のソフトウェアの中から、１つのソフトウェアを選択して起動する所定の情報処理装置で実行される起動制御プログラムであって、当該情報処理装置のコンピュータを、
前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、
モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、
外部からの操作入力を受け付けて、受け付けられた操作入力に基づいて、前記第１表示領域に表示される第１オブジェクトを変更する表示変更手段、及び、
外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段として機能させ、
前記第１表示制御手段は、前記対象ソフトウェアに対応する前記第１オブジェクトを第１の表示態様で表示し、前記対象ソフトウェアに対応しない前記第１オブジェクトを第２の表示態様で表示する、起動制御プログラム。
【請求項２】
前記第１表示制御手段は、前記第１の表示態様で表示された前記第１オブジェクトが選択されたことに応じて、当該第１オブジェクトの表示態様を前記第２の表示態様に変更する、請求項１に記載の起動制御プログラム。
【請求項３】
順序が設定された２つ以上の第１所定数のソフトウェアの中から、１つのソフトウェアを選択して起動する情報処理装置であって、
前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、
モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、
外部からの操作入力を受け付けて、受け付けられた操作入力に基づいて、前記第１表示領域に表示される第１オブジェクトを変更する表示変更手段、及び、
外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段を備え、
前記第１表示制御手段は、前記対象ソフトウェアに対応する前記第１オブジェクトを第１の表示態様で表示し、前記対象ソフトウェアに対応しない前記第１オブジェクトを第２の表示態様で表示する、情報処理装置。
【請求項４】
順序が設定された２つ以上の第１所定数のソフトウェアの中から、１つのソフトウェアを選択して起動する情報処理システムであって、
前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御手段、
モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御手段、
外部からの操作入力を受け付けて、受け付けられた操作入力に基づいて、前記第１表示領域に表示される第１オブジェクトを変更する表示変更手段、及び、
外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行手段を備え、
前記第１表示制御手段は、前記対象ソフトウェアに対応する前記第１オブジェクトを第１の表示態様で表示し、前記対象ソフトウェアに対応しない前記第１オブジェクトを第２の表示態様で表示する、情報処理システム。
【請求項５】
順序が設定された２つ以上の第１所定数のソフトウェアの中から、１つのソフトウェアを選択して起動する所定の情報処理装置で実行される情報処理方法であって、
前記第１所定数のソフトウェアにそれぞれ対応するオブジェクトである第１オブジェクトの内、前記第１所定数未満に設定された第２所定数の前記第１オブジェクトを、モニタ上の第１表示領域に、選択可能に表示する第１表示制御ステップ、
モニタ上の前記第１表示領域とは相違する第２表示領域において、前記第１所定数のソフトウェアの内の対象ソフトウェアについての、前記第１所定数のソフトウェアにおける順序に対応する位置に位置指示画像を表示する第２表示制御ステップ、
外部からの操作入力を受け付けて、受け付けられた操作入力に基づいて、前記第１表示領域に表示される第１オブジェクトを変更する表示変更ステップ、及び、
外部からの操作入力を受け付けて、受け付けられた操作入力に基づいて、前記第１表示領域に表示された第２所定数の第１オブジェクトの中から、１つの第１オブジェクトを選択し、選択された第１オブジェクトに対応するソフトウェアを起動する起動実行ステップを含み、
前記第１表示制御ステップでは、前記対象ソフトウェアに対応する前記第１オブジェクトを第１の表示態様で表示し、前記対象ソフトウェアに対応しない前記第１オブジェクトを第２の表示態様で表示する、情報処理方法。